(57)【要約】【課題】遊動式であって、ラインを切らずに錘交換等を可能にする鯛ラバ仕掛けを提供する。【解決手段】鯛ラバ仕掛け１０は、ライン３の先端に繋がれたフック１２の周囲にラバー１３が装着され、ライン３に対して遊動可能なヘッド１１を有する。ライン３が挿通されたラインガイド１４が、ヘッド１１に貫通形成された装着孔１１ａに挿脱可能に嵌合すると共に、装着孔１１ａに連通するスリット１１ｂｂが形成される。【選択図】図２
2014217334.tif 000002
【特許請求の範囲】
【請求項１】
ラインの先端に繋がれたフックの周囲にラバーが装着され、前記ラインに対して遊動可能なヘッドを有する鯛ラバ仕掛けであって、
前記ラインが挿通されたラインガイドが、前記ヘッドに貫通形成された装着孔に挿脱可能に嵌合すると共に、前記装着孔に連通するスリットが形成され、
前記ラインを切らずに前記ヘッド等を交換可能にしたことを特徴とする鯛ラバ仕掛け。
【請求項２】
前記装着孔は前記ヘッドの外周部付近に形成され、前記スリットが更にその外側に位置することを特徴とする請求項１に記載の鯛ラバ仕掛け。
【請求項３】
前記ラインガイドは内孔を有するスリーブ状に形成され、前記スリットに係合する突起が付設されたことを特徴とする請求項１又は２に記載の鯛ラバ仕掛け。
【請求項４】
前記フック近傍の前記ラインが挿通されたゴム管に樹脂ピンを挿入することで、前記ラバーを固定することを特徴とする請求項１〜３のいずれか１項に記載の鯛ラバ仕掛け。
【発明の詳細な説明】
【技術分野】
【０００１】
本発明は釣り用仕掛け、特に鯛ラバ仕掛けに関するものである。
【背景技術】
【０００２】
釣りにおいて種々の仕掛けが工夫、使用されており、このうち鯛ラバと称する仕掛けは、ヘッドと呼ばれる鉛玉（錘）に数センチのハリスをつけ、それにビニールやラバーをつけた仕掛けであり、主に真鯛を釣る漁具である。伝統的な漁法である鯛カブラから発祥し、餌の代わりにビニールやラバーを用いるようになったことから鯛・ラバーを縮めて“鯛ラバ”と呼ぶようになったと言われている。
【０００３】
従来の鯛ラバ仕掛けは固定式、即ち遊動式でないものが主流であり、また、錘を交換する際には基本的に釣糸（ライン）を切断して行うようにしている。
【０００４】
なお、例えば特許文献１には遊動式のルアーが開示され、また、特許文献２にはジグヘッドとして針と錘が交換可能なグローブライドが開示されている。
【先行技術文献】
【特許文献】
【０００５】
【特許文献１】特開２００２−２３３２７０号公報
【特許文献２】特開２０１１−１１００３２号公報
【発明の概要】
【発明が解決しようとする課題】
【０００６】
これまで遊動式の鯛ラバは具体化されておらず、また、錘の交換のためにその都度ラインを切断しなければならず、手間がかかる等の問題があった。
【０００７】
本発明はかかる実情に鑑み、遊動式であって、ラインを切らずに錘交換等を可能にする鯛ラバ仕掛けを提供することを目的とする。
【課題を解決するための手段】
【０００８】
本発明の鯛ラバ仕掛けは、ラインの先端に繋がれたフックの周囲にラバーが装着され、前記ラインに対して遊動可能なヘッドを有する鯛ラバ仕掛けであって、前記ラインが挿通されたラインガイドが、前記ヘッドに貫通形成された装着孔に挿脱可能に嵌合すると共に、前記装着孔に連通するスリットが形成され、前記ラインを切らずに前記ヘッド等を交換可能にしたことを特徴とする。
【０００９】
また、本発明の鯛ラバ仕掛けにおいて、前記装着孔は前記ヘッドの外周部付近に形成され、前記スリットが更にその外側に位置することを特徴とする。
【００１０】
また、本発明の鯛ラバ仕掛けにおいて、前記ラインガイドは内孔を有するスリーブ状に形成され、前記スリットに係合する突起が付設されたことを特徴とする。
【００１１】
また、本発明の鯛ラバ仕掛けにおいて、前記フック近傍の前記ラインが挿通されたゴム管に樹脂ピンを挿入することで、前記ラバーを固定することを特徴とする。
【発明の効果】
【００１２】
本発明によれば、釣り状況に合せてヘッドの重さを変更したい場合等、ラインを切ることなく異なる重さのヘッドを簡単に交換することができる。
【図面の簡単な説明】
【００１３】
【図１】本発明に係る鯛ラバ仕掛けの使用例を示す斜視図である。
【図２】本発明に係る鯛ラバ仕掛けの構成例を示す斜視図である。
【図３】本発明に係る鯛ラバ仕掛けの構成例を示す分解斜視図である。
【図４】本発明に係る鯛ラバ仕掛けにおけるヘッド構成例及びラインガイドとの結合構造例を示す図である。
【図５】本発明に係る鯛ラバ仕掛けの作用を説明するための図である。
【発明を実施するための形態】
【００１４】
以下、図面に基づき、本発明による鯛ラバ仕掛けにおける好適な実施の形態を説明する。本実施形態において鯛ラバ仕掛け１０は、例えば図１に示すように釣竿１のリール２から巻取り繰出し自在に繰り出される道糸もしくはライン３の先端に取り付けた例とする。
【００１５】
図２は、本実施形態における鯛ラバ仕掛け１０の構成例を示している。鯛ラバ仕掛け１０は上記のようにライン３の先端に取り付けられるが、錘としての機能を有するヘッド１１と、ライン３の先端に繋がれたハリス１２ａに取り付けたフック１２と、フック１２の周囲に装着されたラバー１３と、ライン３が挿通され、ヘッド１１に挿脱可能に嵌合するラインガイド１４とを含んで構成される。本発明ではライン３を切ることなくヘッド１１及びラバー１３を交換することができるようになっている。
【００１６】
図３は、鯛ラバ仕掛け１０の具体的な構成及び製作手順等の１例を示している。フック１２としてこの例では２つのフック１２Ａ，１２Ｂを有し、フック１２のハリス１２ａの適当な位置に結び目を付けて、フック１２Ａ，１２Ｂを適度な長さずらして配置する。なお、ハリス１２ａのワッカの部分にライン３が結び付けられる。ラバー１３としてネクタイ１５及びスカート１６を有し、これらを一緒にして結束バンド１７で束ねておく。ハリス１２ａには２つのゴム管１８が挿通され、また、樹脂ピン１９（所謂からまん棒等と呼ばれている）を結束バンド１７に通して一体にする。更に、その樹脂ピン１９の両端部をゴム管１８に挿入することで、ラバー１３をハリス１２ａの所望位置に固定することができる。
【００１７】
ラインガイド１４は内孔１４ａを有するスリーブ状に形成され、内孔１４ａにライン３を通したままの状態にヘッド１１に結合することができる。ヘッド１１にはラインガイド１４を嵌合させるための装着孔１１ａが貫通形成される。ヘッド１１は例えば円盤型の概略円状に形成され、図４（Ａ）に示されるようにその円の接線近傍に沿うように装着孔１１ａが形成される。ラインガイド１４及び装着孔１１ａには適度に先細となるように弱いテーパが付されてよく、これによりラインガイド１４が装着孔１１ａから不用意に外れないようにする。
【００１８】
また、装着孔１１ａの外側にはこれに連通するスリット１１ｂが形成され、ラインガイド１４にはスリット１１ｂに係合する突起１４ｂが付設される。このスリット１１ｂを介してライン３を装着孔１１ａに挿通させることができ、その状態でラインガイド１４を装着孔１１ａに嵌合させることにより、図１に示されるようにヘッド１１とラインガイド１４とを結合することができる。
【００１９】
上記のように組み付けられた鯛ラバ仕掛け１０によれば、図５のように対象魚である鯛１００が鯛ラバ仕掛け１０を狙って食い付いてくる。ライン３はラインガイド１４内を実質的に自由に滑り、即ち遊動式になっているため、バイトしてきた際にヘッド１１の重さを感じ難い。このように鯛ラバ仕掛け１０がヘッド１１に固定されていない遊動式であることから、高い釣果を期待することができる。
【００２０】
また、本発明の鯛ラバ仕掛け１０では、釣り状況に合せてヘッド１１の重さを変更したい場合、ライン３を切ることなくヘッド１１を簡単に交換することができる。この場合、突起１４ｂを摘んでラインガイド１４を装着孔１１ａから引き抜くことで、ヘッド１１から容易に取り外すことができる。次に異なる重さの別のヘッド１１にラインガイド１４を嵌合させることで、特にヘッド１１の重さの異なる鯛ラバ仕掛け１０を組み付けることができる。釣り状況に迅速に対応することができるため、この点でも高い釣果を期待することができる。なお、必要に応じて樹脂ピン１９の抜き差し操作で、ラバー１３についても簡単に交換することができる。
【００２１】
以上、本発明を種々の実施形態と共に説明したが、本発明はこれらの実施形態にのみ限定されるものではなく、本発明の範囲内で変更等が可能である。
ラバー１３をフック１２の近い位置にセットする場合の他、図２の二点鎖線により示すようにフック１２から離れた位置にセットすることもできる。
ラインガイド１４の突起１４ｂの形状や、ラバー１３の具体的構成等は必要に応じて適宜変更可能である。
【符号の説明】
【００２２】
１  釣竿、２  リール、３  ライン、１０  鯛ラバ仕掛け、１１  ヘッド、１１ａ  装着孔、１１ｂスリット、１２  フック、１３  ラバー、１４  ラインガイド、１５  ネクタイ、１６  スカート、１７  結束バンド、１８  ゴム管、１９  樹脂ピン。
【図１】
2014217334.tif 000003
【図２】
2014217334.tif 000004
【図３】
2014217334.tif 000005
【図４】
2014217334.tif 000006
【図５】
2014217334.tif 000007